(57)【特許請求の範囲】
【請求項１】
容器体の口頸部に対して装着可能な固定部(４)を設け、固定部(４)に対して昇降可能なノズルヘッド(１６)を有する吐出器本体(２)と、
この吐出器本体(２)の側外方に装備した基体(２２)を有し、基体(２２)の周方向の一箇所に位置する第１ヒンジ(５２)から第１テコ体(５０)を、基体(２２)の周方向の別の箇所に位置する第２ヒンジ(６２)から第２テコ体(６０)を、ノズルヘッド(１６)の上側へそれぞれ突出したテコ付き部材(２０)と、
を具備し、
第１テコ体(５０)は、先端側に被押圧部(５６)を、被押圧部(５６)より基端寄りに、上記ノズルヘッド(１６)の上面への当接可能な押下げ片(５８)をそれぞれ有し、
第２テコ体(６０)は、先端側に指当て部(６８)を、指当て部(６８)より基端寄りに、被押圧部(５６)の上側に当接可能な押圧部(７６)をそれぞれ有する吐出器。
【請求項２】
第１ヒンジ(５２)及び第２ヒンジ(６２)は、上方から見て、吐出器本体(２)の両側に位置しており、
第１テコ体(５０)は、第１ヒンジ(５２)から突出する第１アーム(５４)の中間部下面から押下げ片(５８)を垂設するとともに、第１アーム(５４)の先端部寄りの部分を被押圧部(５６)としてなることを特徴とする、請求項１記載の吐出器。
【請求項３】
上記指当て部(６８)を押し下げる前の状態で、押下げ片(５８)の下端をノズルヘッド(１６)の上面に当接させたとともに、上記第１アーム(５４)が第１ヒンジ(５２)から上内方へ突出するように設け、
第１ヒンジ(５２)の高さを、ノズルヘッド(１６)の上面に当接する押下げ片(５８)の下端部の高さと等しくしたことを特徴とする、請求項２記載の吐出器。
【請求項４】
上記指当て部(６８)を押し下げる前の状態で、上記第１ヒンジ(５２)からの第１アーム(５４)の突出方向の延長線(Ｅ)上に第２ヒンジ(６２)が位置するようにしたことを特徴とする、請求項２又は請求項３に記載の吐出器。
【請求項５】
上記基体(２２)は、上記吐出器本体(２)の固定部(４)に対して、連結手段(２４)を介して連結されるとともに吐出器本体(２)を囲む基筒部(３６)を有し、
この基筒部(３６)の一側に吐出物の通過窓(４２)を開口するとともに、
基筒部(３６)のうち通過窓(４２)の上側に第２ヒンジ(６２)を、第２ヒンジ(６２)に対して基筒部(３６)の直径方向反対側に第１ヒンジ(５２)を形成したことを特徴とする、請求項１から請求項４の何れかに記載の吐出器。
【請求項６】
上記第２テコ体(６０)の上部と基筒部(３６)との間に、指当て部(６８)の押下げ前の状態で第２テコ体(６０)を係止するストッパ(Ｓ)を設け、指当て部(６８)を押し下げることでストッパ(Ｓ)が強制的に解除されるように形成したことを特徴とする、請求項５記載の吐出器。
【発明の詳細な説明】
【技術分野】
【０００１】
本発明は、吐出器、特に容器体の口頸部に装着するための吐出器に関する。
【背景技術】
【０００２】
この種の吐出器として、容器体の口頸部へ装着可能な固定部に対してノズルヘッドを昇降可能に形成した吐出器本体を有し、かつノズルヘッドを操作するためのテコ機構を設けたものが知られている（特許文献１）。
このテコ機構は、上記固定部の上部両側から一対の支持板を起立するとともに、これら支持板の上端から、ノズルヘッドの上方へ操作板を揺動可能に突出し、操作板の突出方向中間部から垂下する押圧片の下端でノズルヘッドを押し下げ可能に構成してなる。
【先行技術文献】
【特許文献】
【０００３】
【特許文献１】特開２０１１−２３０８４２
【発明の概要】
【発明が解決しようとする課題】
【０００４】
特許文献１の吐出器は、一個のテコを利用して、テコの倍力作用により、少ない力でノズルヘッドを押し下げることができるようにしたものである。
【０００５】
しかしながら、手の力の弱い利用者、例えば病人や高齢者のためには、より簡単に操作できる吐出器が要望されている。
【０００６】
本発明の目的は、２段テコを利用して、テコの倍力作用を相乗的に高め、より少ない力でノズルヘッドを押し下げることができるようにした吐出器を提供することである。
【課題を解決するための手段】
【０００７】
第１の手段は、容器体の口頸部に対して装着可能な固定部４を設け、固定部４に対して昇降可能なノズルヘッド１６を有する吐出器本体２と、
この吐出器本体２の側外方に装備した基体２２を有し、基体２２の周方向の一箇所に位置する第１ヒンジ５２から第１テコ体５０を、基体２２の周方向の別の箇所に位置する第２ヒンジ６２から第２テコ体６０を、ノズルヘッド１６の上側へそれぞれ突出したテコ付き部材２０と、
を具備し、
第１テコ体５０は、先端側に被押圧部５６を、被押圧部５６より基端寄りに、上記ノズルヘッド１６の上面への当接可能な押下げ片５８をそれぞれ有し、
第２テコ体６０は、先端側に指当て部６８を、指当て部６８より基端寄りに、被押圧部５６の上側に当接可能な押圧部７６をそれぞれ有する。
【０００８】
本手段は、図１に示すように、第１テコ体５０と第２テコ体６０とからなる２段テコを利用した吐出器を提案する。指当て部６８に加えられた力は、各テコ体の倍力作用により２段階に亘って増大させられ、ノズルヘッドに伝わる（図５に示す力Ｆａ、Ｆｂ、Ｆｃを参照）。このテコの倍力作用の相乗効果により、指当て部６８の押し圧を低減することができる。従って手先の力の弱い利用者にとっても使い勝手がよい。本手段において、各テコ体の「基端」とは第１ヒンジ又は第２ヒンジに連なる端部を、「先端」とは基端と反対側の端部をいうものとする。
【０００９】
第２の手段は、第１の手段を有し、かつ第１ヒンジ５２及び第２ヒンジ６２は、上方から見て、吐出器本体２の両側に位置しており、
第１テコ体５０は、第１ヒンジ５２から突出する第１アーム５４の中間部下面から押下げ片５８を垂設するとともに、第１アーム５４の先端部寄りの部分を被押圧部５６としてなる。
【００１０】
本手段は、図２に示すように、上方からみて第１ヒンジ５２及び第２ヒンジ６２が吐出器本体２の両側に位置するようにテコ付き部材２０を構成している。これにより、例えば図４に示すように、第１テコ体５０及び第２テコ体６０を両開きに展開した状態でテコ付き部材２０を成形しておき、次に各テコ体を順次折り畳むことで組み付けができるから、組み立て作業が容易である。
【００１１】
第３の手段は、第２の手段を有し、かつ上記指当て部６８を押し下げる前の状態で、押下げ片５８の下端をノズルヘッド１６の上面に当接させたとともに、上記第１アーム５４が第１ヒンジ５２から上内方へ突出するように設け、
第１ヒンジ５２の高さを、ノズルヘッド１６の上面に当接する押下げ片５８の下端部の高さと等しくした。
【００１２】
本手段では、図１に示すように、第１ヒンジ５２の高さを、ノズルヘッド１６の上面に当接する押下げ片５８の下端部の高さと等しくしている。この構成によれば、第２テコ体６０により第１テコ体５０が押し下げられたときに、図５（Ａ）に示すように、押下げ片５８の下端がノズルヘッド１６をその上面に対して直角な方向に圧接する。これにより圧接力の全てがノズルヘッド１６の押下げ力として作用し、効率的な押下げが可能となる。より具体的には実施例で説明する。
【００１３】
第４の手段は、第２の手段又は第３の手段を有し、かつ上記指当て部６８を押し下げる前の状態で、上記第１ヒンジ５２からの第１アーム５４の突出方向の延長線Ｅ上に第２ヒンジ６２が位置するようにした。
【００１４】
本手段では、図１に示すように、第１ヒンジ５２からの第１アーム５４の突出方向の延長線Ｅ上にあるように第２ヒンジ６２を位置させている。これにより、第２テコ体６０の指当て部６８が押し下げられたときに、図５（Ａ）に示すように、押圧部７６の下端が第１アーム５４をその上面に対して直角な方向に圧接する。圧接力の全てが第１アーム５４の回転力として作用するので、第１アームを効率的に回転させることができる。より具体的には実施例で説明する。
【００１５】
第５の手段は、第１の手段から第４の手段のいずれかを有し、かつ
上記基体２２は、上記吐出器本体２の固定部４に対して、連結手段２４を介して連結されるとともに吐出器本体２を囲む基筒部３６を有し、
この基筒部３６の一側に吐出物の通過窓４２を開口するとともに、
基筒部３６のうち通過窓４２の上側に第２ヒンジ６２を、第２ヒンジ６２に対して基筒部３６の直径方向反対側に第１ヒンジ５２を形成した。
【００１６】
本手段では、図１に示すように、上記テコ付き部材２０の基体２２が、吐出器本体２と連結され、吐出器本体２を囲む基筒部３６を有するようにしている。この基筒部３６は、吐出器本体を保護するカバー筒と、第１ヒンジ５２及び第２ヒンジ６２を介して各テコ体を支える支持台とを兼ねている。
【００１７】
第６の手段は、第５の手段を有し、かつ
上記第２テコ体６０の上部と基筒部３６との間に、指当て部６８の押下げ前の状態で第２テコ体６０を係止するストッパＳを設け、指当て部６８を押し下げることでストッパＳが強制的に解除されるように形成した。
【００１８】
本手段では、使用しない状態での持ち運びなどにより、テコが不意に動いたり、他物との接触によりテコが作動することを防止するためのストッパＳを設けることを提案している（図６参照）。ストッパＳを第２テコ体６０と基筒部３６との間に設けることで、より適切な制動力が得られる。
【発明の効果】
【００１９】
第１の手段に係る発明によれば、第２テコ体６０が第１テコ体５０を、かつ第１テコ体５０がノズルヘッド１６をそれぞれ押し下げる２段テコを用いたから、各テコ体の倍力作用の相乗的効果により、より僅かな力でノズルヘッドを押し下げることができる。
第２の手段に係る発明によれば、第１ヒンジ５２及び第２ヒンジ６２は、上方から見て、吐出器本体２の両側に位置しているから、第１テコ体５０及び第２テコ体６０を両開きに展開した状態から折り畳むことで簡単に組み立てができる。
第３の手段に係る発明によれば、第１ヒンジ５２の高さを、ノズルヘッド１６の上面に当接する押下げ片５８の下端部の高さと等しくしたから、押下げ片５８によるノズルヘッド１６に押し下げを効果的に行うことができる。
第４の手段に係る発明によれば、上記指当て部６８を押し下げる前の状態で、上記第１ヒンジ５２からの第１アーム５４の突出方向の延長線Ｅ上に第２ヒンジ６２が位置するようにしたから、第１アーム５４を効果的に回転させることができる。
第５の手段に係る発明によれば、吐出器本体２を囲む基筒部３６に第１テコ体５０及び第２テコ体６０を付設したから、基筒部３６が、吐出器本体を囲む保護カバー及び２つのテコ体を支える支持台の２つの役目を兼用することができる。
第６の手段に係る発明によれば、第２テコ体６０の上部と基筒部３６との間に、指当て部６８の押下げ前の状態で第２テコ体６０を係止するストッパＳを設けたから、不意に第２テコ体６０及び第１テコ体５０が動いてしまうという不都合を低減できる。
【図面の簡単な説明】
【００２０】
【図１】本発明の第１実施形態に係る吐出器の縦断面図である。
【図２】図１の吐出器の平面図である。
【図３】図１の吐出器の正面図である。
【図４】図１の吐出器の主要部品の展開状態の縦断面図である。
【図５】図１の吐出器の作用説明図である。
【図６】本発明の第２実施形態に係る吐出器の縦断面図である。
【図７】図６の吐出器の主要部品の展開状態の縦断面図である。
【図８】図６の吐出器の作用説明図である。
【発明を実施するための最良の形態】
【００２１】
図１から図５は、本発明の第１の実施形態に係る吐出器を示している。この吐出器は、吐出器本体２と、テコ付き部材２０とで形成している。これら各部材は、たとえば合成樹脂や金属で形成することができる。
【００２２】
吐出器本体２は、従来公知の構造であり、容器体１００の口頸部１０２に対して固定可能な固定部４と、この固定部４に対して昇降可能な作動部材１４とを有する。吐出器本体２は、スプレー式（エアゾール吐出器を含む）やポンプ式の吐出器とすることができる。ここではポンプ式のものを例にとって説明する。
【００２３】
上記固定部４は、装着部材６と、シリンダ８とを有する。
【００２４】
上記装着部材６は、容器体１００の口頸部１０２外面へ嵌合可能な装着筒部６ａの上端から、フランジ状頂壁部６ｂを内方突出し、このフランジ状頂壁部６ｂの内周部から案内筒部６ｃを起立している。
【００２５】
上記シリンダ８は、上記装着部材６の上部に固定され、固定箇所から垂下されている。シリンダ８の下部内には図示しない第１逆止弁を設ける。
【００２６】
上記作動部材１４は、上記シリンダ８内へ昇降自在に嵌合した筒状ピストン（図示せず）を有し、この筒状ピストンと連動して昇降するノズルヘッド１６を設けている。このノズルヘッド１６は、ノズル１８を前方へ突出している。本明細書では、便宜上、図１の左側に現れる向きを「前方」、同図の右側に現れる向きを「後方」という。作動部材１４は、コイルスプリングなどの弾性手段により上方へ付勢されている。ノズルヘッド１６の上面は平坦な水平面となっている。
【００２７】
上記作動部材１４の内部には、第２逆止弁（図示せず）が設けられている。そして、固定部４に対する作動部材１４の下降により、シリンダ８内の液体が第２逆止弁を通ってノズル１８から吐出され、作動部材１４の上昇により容器体内の液体が第１逆止弁を通ってシリンダ８内へ吸い込まれるように構成している。
【００２８】
テコ付き部材２０は、本実施形態において吐出器本体２を囲むカバー部材を兼ねており、図１に示すように基体２２と、第１テコ体５０と、第２テコ体６０とで構成されている。
【００２９】
上記基体２２は、図１に示すように、連結手段２４と基筒部３６とを有する。
【００３０】
上記連結手段２４は、上記装着筒部６ａの外面に嵌合させた嵌合筒部２６を有する。そして、嵌合筒部２６の上端から内向きフランジ状の係止板部２８を内方突出する。この係止板部２８は、装着部材６のフランジ状頂壁部６ｂ上面に係止させている。また上記嵌合筒部２６の上端からは、外向きフランジ状の連結板部３０を外方突出し、この連結板部に基筒部３６を連結している。
【００３１】
好適な図示例では、上記嵌合筒部２６の内面下端部には、上記装着筒部６ａの下面と係合可能な係止突部３２を周設している。また嵌合筒部２６の前壁部には、その筒軸全長に亘って第１スリット３４Ａを設けている。また上記係止板部２８及び連結板部３０の前壁部分には、これら両板部を前後方向に横断する第２スリット３４Ｂを設けている。第１スリット３４Ａ及び第２スリット３４Ｂはノズル１８の幅に対応する幅を有する。そうすることで、テコ付き部材２０に対して吐出器本体２を下側から装着するときに、吐出器本体２のノズル１８が第１スリット３４Ａ及び第２スリット３４Ｂを通過することを可能としている。
【００３２】
上記基筒部３６は、上面及び下面開口であり、その上下方向の略中間部に上記連結板部３０を連結している。図示例の基筒部３６は、略四角筒状に形成しているが、その形状は適宜変更することができる。基筒部３６の内面と吐出器本体２の外周面との間には距離をとるものとする。
【００３３】
上記基筒部３６の前壁部３６ａには、図１に示す連結板部３０との連結箇所より上方へ延びる縦長で小幅の通過窓４２を形成する。また図３に示すように、通過窓４２の下端から基筒部３６の上端へ通過窓より幅の大きい第２切割り３９を穿設している。図示例の第２切割り３９の幅は、基筒部３６の２つの側壁部３６ｃ同士の間隔と略同じである。また前壁部３６ａの通過窓４２の幅は、上述のノズルの幅と同程度とすればよい。
【００３４】
また上記基筒部３６の後壁部３６ｂには、図１に示すように、第１切割り３８を形成している。この第１切割り３８は、第２切割り３９の下端より低い位置から基筒部３６の上端へ延びる。図示例では、第１切割り３８の幅は、通過窓の幅より大きく、かつ第２切割り３９の幅よりも小さい。もっともこれらの構造は適宜変更することができる。
【００３５】
上記第１テコ体５０は、第１アーム５４と押下げ片５８とを有する。上記第１アーム５４は、第１切割り３８の下端から第１ヒンジ５２を介して上内方へ出している。第１アーム５４は、ノズルヘッド１６の上方に位置している。上記押下げ片５８は、第１アームの長手方向中間部から垂下している。上記押下げ片５８の下端は、ノズルヘッド１６の上面に当接させている。上記第１アーム５４の先部は、テコの力点である被押圧部５６として、第２テコ体６０による押下げ可能に配置する。
【００３６】
第１ヒンジ５２は、肉薄ヒンジとして形成することが好適である。しかしながらその構造は適宜変更することができる。
【００３７】
また本実施形態では、第１ヒンジ５２の高さを、ノズルヘッド１６の上面に当接する押下げ片５８の下端部の高さと等しくしている。この構成により、第２テコ体６０により第１テコ体５０が押し下げられたときに、図５（Ａ）に示すように、押下げ片５８の下端は第１ヒンジ５２を中心とする円弧Ｃ１の上を動こうとする。このとき、押下げ片５８の下端がノズルヘッド１６をその上面に対して直角な方向に圧接する。圧接力の全てがノズルヘッド１６の押下げ力として作用するので、ノズルヘッド１６を効率的に押し下げることができる。もっともこの構造は適宜変更することができる。
【００３８】
上記第２テコ体６０は、図１に示すように、垂直な第２アーム６４の上部から操作片６６を後方突出してなる。
【００３９】
上記第２アーム６４は、第２切割り３９の下端から第２ヒンジ６２を介して起立している。図示例の第２アーム６４は、垂直板状に形成されている。
【００４０】
なお、上記第２ヒンジ６２は、図３に示すように、通過窓４２の上端の両側の第２切割り３９の下端部分に形成する一対の肉薄ヒンジ部６２ａ、６２ｂで形成する。これら肉薄ヒンジ部は第２アーム６４の下端部の対応箇所に連結している。
【００４１】
上記操作片６６は、少なくとも、第２アーム６４の上端部から後方へ突出する頂板部６７を有し、上記頂板部６７の後部に指当て部６８を形成してなる。また図示例では、頂板部６７の後端部から垂下壁部７２を下方へ突出している。
好適な一つの実施例として、上記頂板部６７の後部を陥没させて陥没凹部とし、この陥没凹部を指当て部としてもよい。また上記陥没凹部及び陥没凹部の後端部７０から垂下壁部７２の上端部までの範囲を、指当て部６８としてもよい。さらに指当て部６８の形状は適宜変更することができる。なお、図示例の陥没凹部は側方から見て円弧状に形成している。本実施形態では、テコの力点を明確にするために、上記陥没凹部の後端部７０付近に指を掛けて押し下げる場合について説明しているが、陥没凹部内に指を入れて押圧してもよい。また上記頂板部６７の左右方向両側から一対の側板部７４を垂下している。これら側板部７４の前端部は第２アーム６４に、また側板部７４の後端部は垂下壁部７２にそれぞれ連結している。
【００４２】
上記頂板部６７の前部からは、押圧部７６を垂下している。図示の押圧部７６は、左右方向に幅広の垂直板状であるが、その形態は適宜変更することができる。押圧部７６の下端は、第１アーム５４の被押圧部５６上面へ当接している。
【００４３】
なお、図示例では、指当て部６８を押し下げる前の状態で、図１に示すように、第１ヒンジ５２からの第１アーム５４の突出方向の延長線Ｅ上にあるように第２ヒンジ６２を位置させている。これの構成によれば、図５（Ａ）に示すように、第２テコ体６０の指当て部６８が押し下げられたときに、第２テコ体６０の押圧部７６の下端は第２ヒンジ６２を中心とする円弧Ｃ２の上を動こうとする。このとき、押圧部７６の下端が第１アーム５４をその上面に対して直角な方向に圧接する。圧接力の全てが第１アーム５４の回転力として作用するので、第１アームを効率的に回転させることができる。もっともこの構造は適宜変更することができる。
【００４４】
基体２２と第１テコ体５０と第２テコ体６０とは全体として一体成形している。金型で成形するときには、例えば図４に示すように、基体２２に対して第１テコ体５０及び第２テコ体６０を両開きに展開した形態で成形するとよい。展開状態で成形したテコ付き部材２０を吐出器本体２に取り付け、２つの両テコ体を折り畳むことで、簡単に装着できる。
【００４５】
上記構成において、図５（Ａ）に示すように、指当て部６８を押し下げると、第２テコ体６０が第２ヒンジ６２を中心に回転しようとするので、第２テコ体６０の押圧部７６が第１テコ体５０の被押圧部５６を押し下げる。すると第１テコ体５０が第１ヒンジ５２を中心に回転しようとして、第１テコ体５０の押下げ片５８の下端がノズルヘッド１６の上面を押し下げる。
【００４６】
この押下げにより、ノズルヘッド１６が図５（Ｂ）に示すように下降し、そして図５（Ｃ）に至る下限位置で停止する。
【００４７】
上述の操作において、テコの倍力作用により、指当て部６８を押し下げる力Ｆａよりも、押圧部７６が被押圧部５６を押し下げる力Ｆｂの方が大きく、かつよりも押下げ片５８がノズルヘッド１６を押し下げる力Ｆｃの方が大きい。ノズルヘッド１６を押し下げることに必要な力は一定であるから、指当て部６８を押し下げる力が小さくてよいことになり、手の力の弱い利用者でも十分に扱える。
【００４８】
図５において、ｈ２はノズルヘッド１６のストロークの上限状態と下限状態との間でのノズルヘッドの高低差を、またｈ１は第２テコ体６０の上部の高低差との比を表している。２段テコ全体の倍力作用は、ｈ２に対するｈ１の比率により決まる。２段テコの構成を採用することで、指当て部６８の押し圧の低減を自由に設計することができる。図示例では、指当て部の押し圧が約１／４となるようにした構成を記載している。
【００４９】
以下、本発明の他の実施形態を説明する。これらの説明において第１実施形態と同じ構成については、解説を省略する。
【００５０】
図６から図８は、本発明の第２実施形態を示している。本実施形態では、第２テコ体６０の上部と基筒部３６の対応箇所との間にストッパＳを形成したものである。このストッパＳは指当て部６８の押下げにより強制的に解除されるように構成されている。
【００５１】
ストッパＳは、第２テコ体６０の上部に設けたテコ側係合部ｓ１と、基筒部３６に設けた基体側係合部ｓ２とが相互に分離可能に係合するように形成する。
【００５２】
本実施形態では、テコ側係合部ｓ１は、操作片６６の側板部７４の外面上部に設けた凸部として形成している。また基体側係合部ｓ２は、基筒部の左右側壁部３６ｃの内面上部に形成した凹部としている。もっともテコ側係合部ｓ１を凹部に、基体側係合部ｓ２を凸部に形成してもよく、またこれら係合部の位置は適宜変更しても構わない。
【符号の説明】
【００５３】
２…吐出器本体  ４…固定部  ６…装着部材  ６ａ…装着筒部
６ｂ…フランジ状頂壁部  ６ｃ…案内筒部  ８…シリンダ
１４…作動部材  １６…ノズルヘッド  １８…ノズル
２０…テコ付き部材  ２２…基体
２４…連結手段  ２６…嵌合筒部  ２８…係止板部  ３０…連結板部
３２…係止突部  ３４Ａ…第１スリット  ３４Ｂ…第２スリット
３６…基筒部  ３８…第１切割り  ３９…第２切割り
４２…通過窓  ４４…頂壁部  ４６…係合板部
５０…第１テコ体  ５２…第１ヒンジ  ５４…第１アーム  ５６…被押圧部
５８…押下げ片
６０…第２テコ体  ６２…第２ヒンジ
６２ａ、６２ｂ…肉薄ヒンジ部  ６４…第２アーム
６６…操作片  ６７…頂板部  ６８…指当て部
７０…後端部  ７２…垂下壁部  ７４…側板部  ７６…押圧部
Ｃ１、Ｃ２…円弧  Ｅ…延長線
Ｓ…ストッパ  ｓ１…テコ側係合部  ｓ２…基体側係合部
１００…容器体  １０２…口頸部    
【図１】
0006288775.tif 000002
【図２】
0006288775.tif 000003
【図３】
0006288775.tif 000004
【図４】
0006288775.tif 000005
【図５】
0006288775.tif 000006
【図６】
0006288775.tif 000007
【図７】
0006288775.tif 000008
【図８】
0006288775.tif 000009